(57)【要約】【課題】  被測定物の温度を測定する器具において、安全性及び操作性を向上させる。【解決手段】被測定物３の温度を測定する温度センサー部２２を有するペン型測定ユニット２と、ペン型測定ユニット２が測定した測定結果を温度測定データとして表示又は出力するスマートフォン１とを備え、ペン型測定ユニット２が、温度測定データを無線で送信する無線インターフェース２６と、本体２０側において、操作者による操作を受け付ける操作部２１と、ユニット側の操作に応じて温度センサー部２２による測定を実行させ、その測定結果を温度測定データとしてユニット側通信部を通じて送信させる制御モジュール２５とを有し、スマートフォン１が、無線インターフェース２６から送信された温度測定データを受信する通信インターフェース１３と、温度測定データを記憶するストレージ１７とを有する。【選択図】図１
2018124142.tif 000002
【特許請求の範囲】
【請求項１】
測定対象物の温度を測定するセンサーを有する温度測定ユニットと、
前記温度測定ユニットが測定した測定結果を温度測定データとして表示又は出力する情報処理端末と
を備え、
前記温度測定ユニットが、
前記温度測定データを前記測定ユニットから無線で送信するユニット側通信部と、
前記温度測定ユニット本体側において、操作者による操作を受け付けるユニット側操作部と、
前記ユニット側操作部が受け付けた操作をユニット側操作信号として取得し、前記ユニット側操作信号に応じて前記センサーによる測定を実行させ、その測定結果を前記温度測定データとして前記ユニット側通信部を通じて送信させる制御モジュールと
を有し、
前記情報処理端末が、
前記ユニット側通信部から送信された前記温度測定データを受信する端末側通信部と、
前記温度測定データを記憶する測定データ記憶部と
を有する
ことを特徴とする温度測定システム。
【請求項２】
前記情報処理端末が、時刻を測定する時計部をさらに有し、
前記測定データ記憶部が、前記時計部が測定した時刻に関する時間情報と、前記温度測定データとを関連づけて記憶することを特徴とする請求項１に記載の温度測定システム。
【請求項３】
前記情報処理端末が、自機の位置情報を測定する位置情報取得部をさらに有し、
前記測定データ記憶部が、前記位置情報取得部が測定した位置情報と、前記温度測定データとを関連づけて記憶することを特徴とする請求項１又は２に記載の温度測定システム。
【請求項４】
前記情報処理端末が、
前記情報処理端末側において、操作者による操作を端末側操作信号として取得する端末側操作取得部と、
前記端末側通信部及び前記ユニット側通信部を通じて、前記制御モジュールに対して前記端末側操作信号を送信させる遠隔制御部と
をさらに有し、
前記温度測定ユニットの前記制御モジュールは、前記ユニット側操作信号に加えて前記端末側操作信号に応じて、前記センサーによる測定を実行させ、その測定結果を前記温度測定データとして前記ユニット側通信部を通じて送信させる
ことを特徴とする請求項１に記載の温度測定システム。
【請求項５】
前記情報処理端末が、前記測定データ記憶部に記憶された前記温度測定データ、及び前記温度測定データに関連づけられた情報を、グラフィカルに表示するための表示情報を生成する表示情報生成部をさらに有することを特徴とする請求項１に記載の温度測定システム。
【発明の詳細な説明】
【技術分野】
【０００１】
本発明は、測定ユニットから本体に温度測定データを無線で送信する温度測定システムに関する。
【背景技術】
【０００２】
従来、測定対象物の温度を測定する器具としてペン型デジタル温度計等が普及している。このペン型デジタル温度計は、一般的に、温度センサーが先端に内蔵された棒状のプローブの後端にデジタル表示器が取り付けられた形態が採られている。このペン型デジタル温度計では、プローブ先端の温度センサーを測定対象物に接触させ、温度センサーで検出された温度を、プローブ後端のデジタル表示器に数字などにより表示させる。
【先行技術文献】
【特許文献】
【０００３】
【特許文献１】特開２００５−３４５４５７号公報
【発明の概要】
【発明が解決しようとする課題】
【０００４】
しかしながら、上述した従来のペン型温度計では、プローブと表示器とが直結されて一体となっていることから、表示器に表示された値を見るためにプローブを測定対象物から一旦離して手元で数値を確認するか、或いは表示器に顔を寄せて数値を見る必要があった。このため、測定対象物が高温であったりする場合には、顔を寄せることが危険な場合もあり、その場合、逐次手元で数値を確認することとなる。この場合には、逐一プローブを測定対象物から離さなければならないため、その作業が繁雑であるとともに、連続して測定したいときにはその作業が分断されることとなり、測定値の連続性を確保することが困難であった。
【０００５】
そこで、本発明は前記の課題を解決するためになされたもので、測定対象物の温度を測定する器具において、安全性及び操作性を向上させることのできる温度測定システムを提供することを目的とする。
【課題を解決するための手段】
【０００６】
上記課題を解決するために、本発明に係る温度測定システムは、
測定対象物の温度を測定するセンサーを有する温度測定ユニットと、
前記温度測定ユニットが測定した測定結果を温度測定データとして表示又は出力する情報処理端末と
を備え、
前記温度測定ユニットが、
前記温度測定データを前記測定ユニットから無線で送信するユニット側通信部と、
前記温度測定ユニット本体側において、操作者による操作を受け付けるユニット側操作部と、
前記ユニット側操作部が受け付けた操作をユニット側操作信号として取得し、前記ユニット側操作信号に応じて前記センサーによる測定を実行させ、その測定結果を前記温度測定データとして前記ユニット側通信部を通じて送信させる制御モジュールと
を有し、
前記情報処理端末が、
前記ユニット側通信部から送信された前記温度測定データを受信する端末側通信部と、
前記温度測定データを記憶する測定データ記憶部と
を有する
ことを特徴とする。
【０００７】
上記発明では、前記情報処理端末が、時刻を測定する時計部をさらに有し、
前記測定データ記憶部が、前記時計部が測定した時刻に関する時間情報と、前記温度測定データとを関連づけて記憶することが好ましい。
【０００８】
上記発明では、前記情報処理端末が、自機の位置情報を測定する位置情報取得部をさらに有し、
前記測定データ記憶部が、前記位置情報取得部が測定した位置情報と、前記温度測定データとを関連づけて記憶することが好ましい。
【０００９】
上記発明では、前記情報処理端末が、
前記情報処理端末側において、操作者による操作を端末側操作信号として取得する端末側操作取得部と、
前記端末側通信部及び前記ユニット側通信部を通じて、前記制御モジュールに対して前記端末側操作信号を送信させる遠隔制御部と
をさらに有し、
前記温度測定ユニットの前記制御モジュールは、前記ユニット側操作信号に加えて前記端末側操作信号に応じて、前記センサーによる測定を実行させ、その測定結果を前記温度測定データとして前記ユニット側通信部を通じて送信させる
ことが好ましい。
【００１０】
上記発明では、前記情報処理端末が、前記測定データ記憶部に記憶された前記温度測定データ、及び前記温度測定データに関連づけられた情報を、グラフィカルに表示するための表示情報を生成する表示情報生成部をさらに有することが好ましい。
【発明の効果】
【００１１】
上記発明によれば、測定対象物の温度を測定する温度測定ユニットと、温度測定ユニットが測定した測定結果を表示又は出力する情報処理端末とを、別個独立な装置としたため、温度測定ユニットを測定対象物に接触させて温度を測定しつつ、手元の情報処理端末で測定値を視認できる。このため、本発明によれば、測定値を見るためにプローブを測定対象物から一旦離して手元で数値を確認する必要がなく、また、表示器に顔を寄せて数値を見る必要がないため、測定対象物が高温であるような場合であっても、プローブを測定対象物から離す必要がなく、測定作業が分断されることなく、測定値の連続性を確保することができる。この結果、本発明によれば、測定対象物の温度を測定する器具において、安全性及び操作性を向上させることができる。
【図面の簡単な説明】
【００１２】
【図１】実施形態に係る温度測定システムの全体を示す概要図である。
【図２】（ａ）は実施形態に係る温度測定ユニットの内部構成を示すブロック図であり、（ｂ）は温度測定ユニット先端部の構成を示す説明図である。
【図３】実施形態に係る情報処理端末の内部構成を示すブロック図である。
【図４】実施形態に係る情報処理端末の機能モジュールを示すブロック図である。
【図５】実施形態に係る情報処理端末のＵＩを示す画面構成図である。
【図６】変更例に係る温度測定システムの全体を示す概要図である。
【図７】変更例に係る温度測定ユニット先端部の構成を示す説明図である。
【発明を実施するための形態】
【００１３】
以下に添付図面を参照して、本発明に係る温度測定システムの実施形態を詳細に説明する。
【００１４】
（温度測定システムの構成）
図１は、本実施形態に係る温度測定システムの全体構成を示す概要図であり、図２は温度測定ユニットの内部構成及び先端部分の構成を示す図であり、図３は、スマートフォンの内部構成を示すブロック図である。また、図４は情報処理端末の機能モジュールを示すブロック図である。
【００１５】
図１に示すように、本実施形態に係る温度測定システムは、被測定物３の温度を測定するペン型測定ユニット２を、無線通信を通じて、情報処理端末であるスマートフォン１に接続し、ペン型測定ユニット２による測定結果をスマートフォン１に表示させるシステムである。
【００１６】
（１）温度測定ユニットの構成
図２に示すように、ペン型測定ユニット２は、細長のペン型のプローブであり、具体的には、円錐形をなす先端部分２０ａを有する筒状の本体２０に各モジュールを内蔵して構成されている。本体２０の後端部分の外周面にはクリップ２０ｃが取付けられており、ペン型測定ユニット２をポケットに収納する際に、ポケット内に係止して、携帯時の利便性を高めている。
【００１７】
本体２０には、温度センサー部２２と、信号増幅器２３と、Ａ／Ｄ変換器２４と、制御モジュール２５と、無線インターフェース２６と、操作部２１と、電源部２７とが内蔵されている。
【００１８】
温度センサー部２２は、被測定物３に接触されて対象物の温度を測定し、測定値を電気信号として信号増幅器２３に入力する温度検出装置であり、本実施形態ではＫ熱電対プローブセンサーを採用している。信号増幅器２３は、入力された測定値の電気信号を増幅してＡ／Ｄ変換器２４に入力し、Ａ／Ｄ変換器２４は、増幅された信号をＡ／Ｄ変換した上で、制御モジュールに２５に入力する。
【００１９】
特に、本実施形態に係る温度センサー部２２は、Ｋ熱電対形式のプローブ型温度センサーを用いたものであり、温度測定範囲は−５０℃〜＋２００℃となっている。この温度センサー部２２はアルミニウムに金メッキを施した素材で形成されており、熱検出時間を大幅に短縮できるようになっている。
【００２０】
温度センサー部２２の構成について詳述すると、図２（ｂ）に示すように、本体２０の先端部分２０ａに、温度センサー部２２を収納する凹部２０ｂが形成されている。この凹部２０ｂは、樹脂やその他の熱伝導性の低い素材で形成されているとともに、温度センサー部２２の外周面に形成されたネジ部が螺合される雌ネジ部が刻設されている。温度センサー部２２はこの凹部２０ｂに螺合されることにより固定され、温度センサー部２２の一部が先端部分２０ａの凹部２０ｂの開口部分から露出されている。そして、この凹部２０ｂの開口部分から露出された温度センサー部２２が、温度測定時に被測定物３に押し当てられて温度測定ができるようになっている。
【００２１】
無線インターフェース２６は、温度測定データをペン型測定ユニット２からスマートフォン１へ無線で送信するユニット側通信部であり、ＢＬＥ（Bluetooth（登録商標） Low Energy）、 Bluetooth（登録商標）などの通信方式によってスマートフォン１へ送信する。また、無線インターフェース２６は、スマートフォン１から送信される端末側操作信号等の制御信号を受信することができ、受信した制御信号を制御モジュールに入力する。
【００２２】
操作部２１は、ペン型測定ユニット２側において、操作者による操作を受け付けるユニット側操作部であり、本実施形態では本体２０の外周面に突設されたプッシュスイッチ２１ａや、操作状態を示すＬＥＤ２１ｂが含まれる。操作部２１は、制御モジュール２５に接続され、プッシュスイッチ２１ａの押下によるオン・オフや押下時間がユニット側操作信号として制御モジュールに入力される。ＬＥＤ２１ｂは、測定時や電池残量減少時に所定の色で点灯、点滅する。
【００２３】
制御モジュール２５は、操作部２１が受け付けた操作をユニット側操作信号として取得し、ユニット側操作信号に応じて温度センサー部２２による測定を実行させ、その測定結果を温度測定データとして無線インターフェース２６を通じて送信させる演算処理装置である。この制御モジュールとしてはＣＰＵ等のマイクロチップとして実装することができる。また、制御モジュール２５は、ユニット側操作信号に加えて端末側操作信号に応じて、温度センサー部２２による測定を実行させ、その測定結果を温度測定データとして無線インターフェース２６を通じて送信させることもできる。
【００２４】
また、制御モジュール２５には、図示しない出力デバイスが接続され、ブザーやアラート等の音響、ＬＥＤ点灯などの出力制御を行う出力インターフェースを設けてもよい。この出力インターフェースは、液晶ディスプレイやスピーカー等の出力デバイスから文字や音声を出力するために、画像信号や音声信号を送出するモジュールであり、制御モジュール２５で実行されるファームウェアによって制御される文字や、光、音等を出力することができる。
【００２５】
電源部２７は、例えば電池や充電式バッテリーなど、蓄電池とすることができる。この電源部２７からの電力は、各モジュールに提供されるとともに、その残量を、制御モジュール２５を通じて、ペン型測定ユニット２側の出力インターフェース、例えばＬＥＤやブザーなどによって報知するようにしてもよく、また、電池残量をユニット側からの制御信号としてスマートフォン１側に送信し、タッチパネル１１ａに表示させるようにしてもよい。
【００２６】
（２）スマートフォンの構成
スマートフォン１は、通信機能やＣＰＵを備えた情報処理端末であり、各種アプリケーションソフトをインストールすることにより様々な機能が実装可能であり、本実施形態では、電波試験用アプリケーションをインストールして、当該スマートフォンをペン型測定ユニット２の測定結果を表示させる温度測定用の情報処理端末として機能させる。この温度測定用の情報処理端末としては、スマートフォンの他、例えば、パーソナルコンピュータ等の汎用コンピュータや、機能を特化させた専用装置により実現することができ、タブレットＰＣやモバイルコンピュータ、ＰＤＡ（Ｐｅｒｓｏｎａｌ  Ｄｉｇｉｔａｌ  Ａｓｓｉｓｔａｎｃｅ  ）、携帯電話機、ウェアラブル端末等が含まれる。
【００２７】
詳しくは、図３に示すように、スマートフォン１は、蓄積部であるストレージ１７と、演算処理を行うＣＰＵ１６と、情報を一時的に記憶するメモリ１４と、通信回線を介して外部の機器との通信を行う通信インターフェース１３と、出力インターフェース１２と、入力インターフェース１１とを有している。なお、本実施形態では、これらのストレージ１７、ＣＰＵ１６、メモリ１４及び通信インターフェース１３等はＣＰＵバスを介して接続されており、相互にデータの受渡しが可能となっている。
【００２８】
ストレージ１７は、温度測定データを記録媒体に蓄積するとともに、これら蓄積されたデータを各デバイスの要求に応じて読み出す装置であり、例えば、ハードディスクドライブ（ＨＤＤ）やソリッドステートドライブ（ＳＳＤ）、メモリカード等により構成することができる。
【００２９】
ＣＰＵ１６は、各部を制御する際に必要な種々の演算処理を行う装置であり、各種プログラムを実行することにより、ＣＰＵ１６上に仮想的に各種モジュールを構築する。本実施形態では、このＣＰＵ１６により、温度測定ユニット制御プログラムを実行することによって、この汎用的なスマートフォン１を、温度測定装置として機能させる。なお、この「モジュール」とは、装置や機器等のハードウェア、或いはその機能を持ったソフトウェア、又はこれらの組み合わせなどによって構成され、所定の動作を達成するための機能単位を示す。
【００３０】
通信インターフェース１３は、無線通信により無線基地やペン型測定ユニット２と通信を行うモジュールであり、ＬＴＥ回線、３Ｇ・４Ｇ回線や、Ｗｉｆｉ（登録商標）、Ｂｌｕｅｔｏｏｔｈ（登録商標）などの無線通信ネットワーク、その他の公知の装置・通信方式を用いることができる。
【００３１】
また、ＣＰＵバスには、ＧＰＳや無線基地局の識別子・座標などから自機の現在位置を測定する位置情報取得部１５と、現在時刻を計時する時計部１８とが接続されている。これらの位置情報取得部１５及び時計部１８による測定結果は、温度測定データに紐付けられてメモリ１４やストレージ１７に蓄積されるとともに、ＣＰＵ１６上で実行されるＯＳやアプリケーションの要求に応じて受渡される。
【００３２】
さらに、ＣＰＵバスには、ユーザー操作を受け付ける入力インターフェース１１及び、映像や音響、ＬＥＤ点灯などの出力制御を行う出力インターフェース１２が接続されている。出力インターフェース１２は、タッチパネル１１ａに備えられたディスプレイやスピーカー１２ａ等の出力デバイスから映像や音声を出力するために映像信号や音声信号を送出するモジュールであり、ＣＰＵ１６で実行されるアプリケーションソフトに関する映像や音声を出力することができる。
【００３３】
入力インターフェース１１は、タッチパネル１１ａやボタン１１ｂ、カメラ１１ｃ等の操作デバイスから操作信号を受信するモジュールであり、受信された操作信号はＣＰＵ１６に伝えられ、ＯＳや各アプリケーションに対する操作を行うことができる。なお、本実施形態では、これら入力インターフェース１１及び出力インターフェース１２には、タッチパネル１１ａやボタン１１ｂ等の物理的操作スイッチなどが接続されており、操作用画面の表示データをディスプレイに表示させ、それに応じたタッチ操作やボタン操作をさせることによってユーザー操作信号を取得するＧＵＩが提供される。
【００３４】
操作用画面には、図５に示すように、測定時刻や測定温度、測定インターバルが表示されるとともに、測定データ保存（記録）の開始・停止を遠隔操作するボタンが表示される。また、メニュー選択などにより他の画面に遷移できるようになっており、無線通信のペアリング、メール送信先等の通信設定や、測定ユニットの登録、インターバルの設定などが行えるようになっている。保存された測定データは、選択操作により閲覧することができるとともに、メール送信先として設定された宛先に送信したり、クラウドストレージにアップロードしたりすることができる。
【００３５】
そして、図４に示すように、ＣＰＵ１６上では、ＯＳ実行部１６１によってスマートフォン専用に開発されたＯＳ（Ｏｐｅｒａｔｉｎｇ  Ｓｙｓｔｅｍ）が起動・実行されており、このＯＳによってスマートフォン１の基本的な機能が管理・制御されている。また、このＯＳ上ではアプリケーション実行部１６２によって、種々のアプリケーションが実行可能になっており、このアプリケーション実行部１６２によって、アプリケーションを実行することにより、様々な機能が実行される。
【００３６】
ＯＳ実行部１６１は、ＣＰＵ上でＯＳプログラムを実行するためのモジュールであり、このＯＳ実行部１６１でＯＳプログラムが実行されることによって、スマートフォン１の基本的な機能が管理・制御され、アプリケーション実行部１６２で構築されたモジュールと、スマートフォン１〜ｃの各装置・機能との連携を可能としている。アプリケーション実行部１６２は、ＣＰＵ上でアプリケーションプログラムを実行するためのモジュールであり、このアプリケーション実行部１６２でアプリケーションプログラムを実行することによって、種々の機能モジュールがＣＰＵ上に仮想的に構築される。
【００３７】
詳述すると、本実施形態では、温度測定システムに係るモジュールとして、ＣＰＵ１６では、ＯＳによって各デバイスが制御されているとともに、アプリケーション実行部１６２が提供されており、このアプリケーション実行部１６２によって温度測定ユニット制御アプリケーションが実行されることにより、通信制御部１６２ａ、遠隔制御部１６２ｂ、端末側操作取得部１６２ｃ、表示情報生成部１６２ｄ、及び端末側記録部１６２ｅが提供される。
【００３８】
通信制御部１６２ａは、ペン型測定ユニット２側の無線インターフェース２６から送信された温度測定データを受信したり、遠隔制御部１６２ｂで取得された操作信号をペン型測定ユニット２側に送信したりする通信処理全般を制御するモジュールである。
【００３９】
端末側操作取得部１６２ｃは、スマートフォン１側において、操作者による操作を端末側操作信号として取得するモジュールである。この端末側操作取得部１６２ｃは、入力インターフェース１１が接続されており、タッチパネル１１ａやボタン１１ｂ、カメラ１１ｃの操作デバイスの他、加速度センサー、ジャイロセンサー等の各種センサーからの検出信号も操作信号として取得できるようになっており、スマートフォン１の姿勢の変化や、向きなどによっても端末側操作信号を入力できるようになっている。
【００４０】
遠隔制御部１６２ｂは、通信インターフェース１３及び無線インターフェース２６を通じて、制御モジュール２５に対して端末側操作信号を含む各種制御信号を送信させるモジュールである。なお、この遠隔制御部１６２ｂで生成される制御信号としては、操作者による操作によって生成されるものの他、プログラムによるアルゴリズムによって自動的に生成されるものなどが含まれる。
【００４１】
表示情報生成部１６２ｄは、スマートフォン１が、ストレージ１７に記憶された温度測定データ、及び温度測定データに関連づけられた情報を、グラフィカルに表示するための表示情報を生成するモジュールである。この表示情報生成部１６２ｄで生成される表示情報としては、タッチパネル１１ａに表示される操作用画面等のＧＵＩなども含まれる。
【００４２】
端末側記録部１６２ｅは、温度測定データを記憶する測定データ記憶部であり、本実施形態では、ペン型測定ユニット２で測定された温度測定データに、測定時刻や測定位置に関する座標（緯度・経度）の他、カメラ１１ｃで撮影した画像などを関連づけて記憶することができるようになっている。
【００４３】
（変更例）
なお、上述した実施形態の説明は、本発明の一例である。このため、本発明は上述した実施形態に限定されることなく、本発明に係る技術的思想を逸脱しない範囲であれば、設計等に応じて種々の変更が可能である。例えば、図６に示すように、インターネット５上にコンテンツサーバー４を設け、スマートフォン１ａで記録した温度測定データをコンテンツサーバー４上のストレージ手段に蓄積し、他のＰＣ１ｂやラップトップコンピュータ１ｃなどとの間で、共有できるようにしてもよい。この場合には、コンテンツサーバー４上のストレージにアクセスする権限を認証する認証手段をコンテンツサーバー４上に設け、ユーザー固有のＩＤ及びパスワードを用いて各スマートフォン１ａ〜１ｃから共通のストレージに対してアクセスして、温度測定データを閲覧できるようにする。
【００４４】
また、上述した実施形態では、温度センサー部２２を、雌ネジ部が刻設された凹部２０ｂに螺合することにより固定したが、図７に示すように、凹部２０ｂ内に温度センサー部２２をバネ２２ａによって進退可能に保持するようにして、温度センサー部２２の一部が、先端部分２０ａの凹部２０ｂの開口部分から押し込み可能に露出されるようにしてもよい。この場合には、凹部２０ｂの開口部分から露出された温度センサー部２２を、温度測定時に被測定物３に押し当てると、温度センサー部２２内に押し込まれ、凹部２０ｂの内側面が熱伝導性の低い素材で形成されたカバーとなって覆われた状態となる。これにより、温度センサー部２２が外乱の影響を受けることなく、測定を行うことができる。
【００４５】
（作用・効果）
以上説明した実施形態によれば、被測定物３の温度を測定するペン型測定ユニット２と、ペン型測定ユニット２が測定した測定結果を表示又は出力するスマートフォン１とを別個独立な装置としたため、ペン型測定ユニット２を被測定物３に接触させて温度を測定しつつ、手元のスマートフォン１で測定値を視認できる。このため、本実施形態によれば、測定値を見るためにプローブを被測定物３から一旦離して手元で数値を確認する必要がなく、また、プローブの表示器に顔を寄せて数値を見る必要がないため、被測定物３が高温であるような場合であっても、安全に、且つ測定作業が分断されることなく、測定値の連続性を確保することができる。この結果、被測定物３の温度を測定する器具において、安全性及び操作性を向上させることができる。
【符号の説明】
【００４６】
１…スマートフォン
２…ペン型測定ユニット
３…被測定物
４…コンテンツサーバー
５…インターネット
１１…入力インターフェース
１２…出力インターフェース
１３…通信インターフェース
１４…メモリ
１５…位置情報取得部
１６…ＣＰＵ
１７…ストレージ
１８…時計部
２０…本体
２１…操作部
２２…熱電対センサー
２２…温度センサー部
２２ａ…バネ
２３…信号増幅器
２４…Ａ／Ｄ変換器
２５…制御モジュール
２６…無線インターフェース
２７…電源部
１６１…ＯＳ実行部
１６２…アプリケーション実行部
【図１】
2018124142.tif 000003
【図２】
2018124142.tif 000004
【図３】
2018124142.tif 000005
【図４】
2018124142.tif 000006
【図５】
2018124142.tif 000007
【図６】
2018124142.tif 000008
【図７】
2018124142.tif 000009